(57)【要約】【課題】  従来の表示装置と同じ文字高の文字（例えば、所定文字高＝４５ｃｍ）を二段書きすることによって表示が行われるため、その文字高の文字が視認できる距離（判読を開始できる距離、以下、視認距離という）に到達するまでは、交互に表示される何れの情報も判読することができない。【解決手段】  ＬＥＤ等の発光素子をマトリックス状に多数配置して道路情報を表示する道路情報表示方法であって、地区、原因、結果等から構成される道路情報としての第１次情報と前記第１次情報に関連する拡大文字や図柄により構成される第２次情報とを記憶するとともに、前記第１次情報の背景位置で前記第２次情報を異なる発光色で表示することにより、２つの情報を１つの表示面で同時に視認できるようにしたことを特徴とする道路情報表示方法である。【選択図】        図２
2008231839.tif 000002
【特許請求の範囲】
【請求項１】
ＬＥＤ等の発光素子をマトリックス状に多数配置して道路情報を表示する道路情報表示方法であって、
地区、原因、結果等から構成される道路情報としての第１次情報と前記第１次情報に関連する拡大文字や図柄により構成される第２次情報とを記憶するとともに、前記第１次情報の背景位置で前記第２次情報を異なる発光色で表示することにより、２つの情報を１つの表示面で同時に視認できるようにしたことを特徴とする道路情報表示方法。
【請求項２】
前記第２次情報を前記第１次情報の背景位置で点滅表示するようにしたことを特徴とする請求項１記載の道路情報表示方法。
【請求項３】
前記第２次情報を前記第１次情報の背景位置で左右方向に揺動表示するようにしたことを特徴とする請求項１記載の道路情報表示方法。
【請求項４】
前記第２次情報を前記第１次情報の背景位置で移動表示するようにしたことを特徴とする請求項１記載の道路情報表示方法。
【請求項５】
ＬＥＤ等の発光素子をマトリックス状に多数配置して道路情報を表示する道路情報表示装置であって、
地区、原因、結果等から構成される道路情報としての第１次情報と該第１次情報の背景位置で表示されるところの第１次情報に関連する拡大文字や図柄により構成される第２次情報とを記憶する情報記憶手段と、
該情報記憶手段から記憶した情報を読み出し前記第１次情報に従い前記発光素子を点灯させる表示データを出力するとともに所定のタイミングで読み出された前記第２次情報との合成表示情報による表示データを出力する発光素子制御手段と、
該発光素子制御手段からの表示データを一時記憶し前記発光素子を点灯させる発光素子表示手段と、
から構成したことを特徴とする道路情報表示装置。
【発明の詳細な説明】
【技術分野】
【０００１】
本発明は、高速道路や一般道路の道路上に設置され、ドライバーに道路情報を提供する道路情報表示装置であって、２つの情報を１つの表示面に表示することにより表示された情報に対する判読を容易とする道路情報表示方法およびその装置に関する。
【背景技術】
【０００２】
１つの表示面で２つの表示項目を表示する提案として、本出願人が提案した特許文献１がある。この提案にあっては、２つの表示項目を１つの表示面で交互に表示する場合に、提供する情報の内容（文字数や文字の画数など）によって判読に必要な時間が決まるため、各々の表示項目に対する判読に必要な時間を予め設定して交互に表示を行うことを提案している。
【特許文献１】特開平６−２４８６１７号公報
【発明の開示】
【発明が解決しようとする課題】
【０００３】
しかし、この発明にあっては、従来の表示装置と同じ文字高の文字（例えば、所定文字高＝４５ｃｍ）を二段書きすることによって表示が行われるため、その文字高の文字が視認できる距離（判読を開始できる距離、以下、視認距離という）に到達するまでは、交互に表示される何れの情報も判読することができない。そのために、表示の切り替わり時に表示文字に対する視認距離に到達しないドライバーに対しては何れか一方の情報が判読できない可能性があり、その運用が制限されていた。
【０００４】
本発明は前記した問題点を解決せんとするもので、その目的とするところは、道路情報を表示するようにした道路情報表示装置において、提供する道路情報に関連する文字や図柄などを前記道路情報の背景として拡大表示することで、ドライバーに対して表示された道路情報が何に関連する情報かを先に知らせ、前記道路情報が視認可能な距離からの表示内容の理解を容易に行うことができるようにした道路情報表示方法およびその装置を提供せんとするにある。
【課題を解決するための手段】
【０００５】
本発明の道路情報表示方法は前記した目的を達成せんとするもので、請求項１の発明は、ＬＥＤ等の発光素子をマトリックス状に多数配置して道路情報を表示する道路情報表示方法であって、地区、原因、結果等から構成される道路情報としての第１次情報と前記第１次情報に関連する拡大文字や図柄により構成される第２次情報とを記憶するとともに、前記第１次情報の背景位置で前記第２次情報を異なる発光色で表示することにより、２つの情報を１つの表示面で同時に視認できるようにしたことを特徴とする。
【０００６】
請求項２の発明は、前記した請求項１において、前記第２次情報を前記第１次情報の背景位置で点滅表示するようにしたことを特徴とする。
【０００７】
請求項３の発明は、前記した請求項１において、前記第２次情報を前記第１次情報の背景位置で左右方向に揺動表示するようにしたことを特徴とする。
【０００８】
請求項４の発明は、前記した請求項１において、前記第２次情報を前記第１次情報の背景位置で移動表示するようにしたことを特徴とする。
【０００９】
本発明の道路情報表示装置に係る請求項５の発明は、ＬＥＤ等の発光素子をマトリックス状に多数配置して道路情報を表示する道路情報表示装置であって、地区、原因、結果等から構成される道路情報としての第１次情報と該第１次情報の背景位置で表示されるところの第１次情報に関連する拡大文字や図柄により構成される第２次情報とを記憶する情報記憶手段と、該情報記憶手段から記憶した情報を読み出し前記第１次情報に従い前記発光素子を点灯させる表示データを出力するとともに所定のタイミングで読み出された前記第２次情報との合成表示情報による表示データを出力する発光素子制御手段と、該発光素子制御手段からの表示データを一時記憶し前記発光素子を点灯させる発光素子表示手段とから構成したことを特徴とする。
【発明の効果】
【００１０】
本発明は前記したように、地区、原因、結果等の内容である第１次情報に対して、該第１次情報の背景位置で、拡大文字や図柄により第１次情報に関連する情報を表示するようにしたので、拡大表示された前記情報を先に視認できるようになる。従って、ドライバーは表示された道路情報に対する概要を予め知った状態で前記第１次情報を視認するために短い時間で表示内容を理解することができ、以ってドライバーの安全運転に貢献することができる。
【００１１】
また、静止した表示に対して背景情報である第２次情報を点滅したり、揺動あるいは移動することで、第２次情報に対する誘目性を一層高めることができると共に、第１次情報と第２次情報との分離認識をさらに容易にすることができるといった効果を有するものである。
【発明を実施するための最良の形態】
【００１２】
本発明は、地区、原因、結果等から構成される道路情報としての第１次情報に対して、該第１次情報の背景位置で、かつ、異なる発光色により拡大文字や図柄で第１次情報に関連する情報を表示するようにした。
【実施例】
【００１３】
以下、本発明に係る道路情報表示装置の一実施例を図面と共に説明する。
図１は本発明の道路情報表示装置１０の外観を示す。同図に示すように道路情報表示装置１０は、道路脇に設置された支柱に取付けられた装置で、その表示面１１はＲ，Ｇ，Ｂの３色を発光する半導体チップを１つの透明なパッケージに収容したＬＥＤをマトリックス状に配列した多数のＬＥＤ表示ユニット３１によって形成され、ＬＥＤを点灯することにより文字や図形などからなる道路情報を表示するようになっている。拡大図Ａは、表示面１１の一部を拡大して模式的に示した図で、Ｒ，Ｇ，Ｂの発光色のチップが横１列に図示してある。なお、道路情報表示装置１０には、後述する制御部２０が収容されている。
【００１４】
図２は、道路情報表示装置１０の主な内部構成を示すブロック図である。道路情報表示装置１０は、ＬＥＤ表示ユニット３１から構成される表示面１１で表示される文字や図柄を制御する制御部２０と、制御部２０からの表示データによってＬＥＤ表示ユニット３１のＬＥＤを点灯するＬＥＤ点灯駆動部３２を備えたＬＥＤ表示部３０とから構成される。なお、ＬＥＤ表示部３０は請求項の発光素子表示手段に相当する。
【００１５】
ＬＥＤ点灯駆動部３２は、シフトレジスタや図示しないラッチ、ドライバーなどにより構成され、前記したシフトレジスタに入力されるクロック信号に同期して表示データ（道路情報を表示する「０」「１」のデジタル信号）を、後段のシフトレジスタに転送すると共に、Ｒ，Ｇ，Ｂの各色に対応したレジスタに表示データが記憶される。本実施例にあっては、レジスタ内に記憶された前記デジタルデータが「１」の場合に対応する色が発光し、「０」の場合には対応する色が非発光となる。
【００１６】
そして、前記表示面１１の全面において文字や図柄を表示するために、制御部２０からシリアル転送されるデジタル信号である表示データを取得し、シフトレジスタに一時記憶するとともに、ラッチした表示データに対する色のチップに対して点灯用電源が供給されることによりＬＥＤを点灯させ表示データに対応した文字や図柄などを表示面１１に表示する。なお、表示面１１のＬＥＤが１回点灯される毎にシフトレジスタのデータを書き換えて表示が行われるが、表示データの更新が高速で行われるため、人の目にはＬＥＤが継続して点灯しているように視認される。この構成は一例であり、表示面１１における全てのＬＥＤに対して表示データをシリアル転送する必要はなく、ＬＥＤ表示ユニット３１を複数のブロック、例えば、上下のブロックに分けてブロック毎に並列的に表示データを転送してもよい。
【００１７】
次に、制御部２０の構成について説明するに、制御部２０はＣＰＵ２１と、制御プログラムメモリ２２と、表示データメモリ２３と、ＲＯＭ２４およびＬＥＤ制御部２５とから構成されており、このＬＥＤ制御部２５はマトリックス状に組み込まれている初段のＬＥＤ表示ユニット３１のシフトレジスタに接続されている。制御プログラムメモリ２２は、ＲＯＭ２４から表示データを読み出して表示データメモリ２３にセットし、文字や図柄に相当するＬＥＤの点灯を制御する表示制御プログラムを記憶した記憶媒体である。
【００１８】
なお、ＲＯＭ２４が請求項の情報記憶手段に相当し、ＲＯＭ２４を除くＣＰＵ２１，制御プログラムメモリ２２，表示データメモリ２３およびＬＥＤ制御部２５が発光素子制御手段に相当する。
【００１９】
ＲＯＭ２４には提供する道路情報、例えば、「名古屋−小牧  事故通行止」、「この先工事  走行注意」、「この先事故  車線規制有」等の第１次情報２４ａと、これらの道路情報に関連する拡大文字の「通行止」、「工事」「事故」等の第２次情報２４ｂを表示する複数の表示データがそれぞれ記憶されている。なお、第１次情報２４ａと第２次情報２４ｂは表示位置と発光色とを指定した表示データにより構成されている。
【００２０】
ＬＥＤ制御部２５は第２次情報から第１次情報を除く背景情報を生成する背景表示用データ生成部２５ａと、背景表示用データ生成部２５ａで作成した表示データと第１次情報の表示データとを合成するための合成表示データ出力部２５ｂとから構成されている。
【００２１】
なお、ＬＥＤ制御部２５には第１次情報および第２次情報の他に、本発明の背景表示用データの表示の実施／不実施を制御するイネーブル（ＥＮ）の信号を入力するイネーブル端子が備えられている。
【００２２】
このため、背景表示用データ生成部２５ａには第１次情報と第２次情報が各Ｒ，Ｇ，Ｂデータとして入力され、予め指定された発光色による第１次情報と第２次情報の制御が行われる。例えば、図５に示す第１次情報の「名古屋−小牧  事故通行止」に対して第２次情報の「通行止」を表示する場合には、「名古屋−小牧」を橙色で、「事故通行止」を赤色で表示する場合には、第２次情報の「通行止」を白色で表示する。
【００２３】
次に、ＬＥＤ制御部２５の詳細を図３の論理回路と共に説明するに、背景表示用データ生成部２５ａには第１次情報データとしてのＲ，Ｇ，Ｂデータのそれぞれが入力されるＮＯＲ素子Ｎ１が備えられており、ＮＯＲ素子Ｎ１の出力はＡＮＤ素子Ａ１，Ａ２，Ａ３にそれぞれ入力されている。また、第２次情報データとしてのＲ，Ｇ，ＢデータがＡＮＤ素子Ａ１，Ａ２，Ａ３にそれぞれ入力されている。
【００２４】
従って、ＡＮＤ素子Ａ１，Ａ２，Ａ３の出力であるＲ’，Ｇ’，Ｂ’は、第１次情報データとしてのＲ，Ｇ，Ｂデータのそれぞれがローレベルで、第２次情報データとしてのＲ，Ｇ，Ｂデータの何れかがハイレベルであるときその該当する色の信号がハイレベルとなり後段の合成表示データ出力部２５ｂに出力される。具体的には、第２次情報データとしてのＲ，Ｇ，ＢデータがＡＮＤ素子Ａ１，Ａ２，Ａ３にそれぞれ「１」として入力される場合は白色の表示データとして出力される。
【００２５】
次に、合成表示データ出力部２５ｂにはＡＮＤ素子Ａ４，Ａ５，Ａ６とＯＲ素子Ｏ１，Ｏ２，Ｏ３が備えられている。そして、ＡＮＤ素子Ａ４，Ａ５，Ａ６には前記ＡＮＤ素子Ａ１，Ａ２，Ａ３の出力であるＲ’，Ｇ’，Ｂ’とイネーブル端子ＥＮからの出力が、ＯＲ素子Ｏ１，Ｏ２，Ｏ３には第１次情報データとしてのＲ，Ｇ，Ｂデータと前記ＡＮＤ素子Ａ４，Ａ５，Ａ６の出力がそれぞれに入力されている。
【００２６】
そのため、イネーブル端子ＥＮからハイレベルの信号「１」がＡＮＤ素子Ａ４，Ａ５，Ａ６に入力される場合に、第１次情報データに加えて前記したＡＮＤ素子Ａ１，Ａ２，Ａ３の出力である背景表示用データとしてのＲ’，Ｇ’，Ｂ’データがＬＥＤ点灯駆動部３２のシフトレジスタに出力される。
【００２７】
なお、上記の説明においては情報記憶手段をＲＯＭと表現したが、不揮発性メモリとしての機能を備えたものであればよい。また、ＬＥＤ制御部２５による処理は、ソフトウエアによって行ってもよいし、ハードウエアおよびハードウエアとソフトウエアの組み合わせによって行ってもよい。
【００２８】
次に、上記の構成による本実施形態の動作について図４のフローチャートに従い説明する。
はじめに、特定の道路情報に対する表示制御信号が制御部２０に入力されると、ＣＰＵ２１は制御プログラムメモリ２２に記憶した表示制御プログラムを起動し、ＲＯＭ２４から表示データメモリ２３に選択された第１次情報（例えば、「名古屋−小牧  事故通行止」）と第２次情報（例えば、「通行止」）を読み出し（ステップＳ１）、指定された発光色に従いＲとＧとＢのそれぞれの全画面（フレーム）データを第１次情報と第２次情報に対して作成し記憶する（ステップＳ２）。
【００２９】
次に、表示データメモリ２３で作成した第１次情報と第２次情報の各色の全画面データをＬＥＤ表示部３０にシリアル転送される順番にＬＥＤ制御部２５に入力し合成表示データとしてＬＥＤ表示部３０の各色のシフトレジスタに出力し（ステップＳ３）、ＣＰＵ２１からＬＥＤ点灯駆動部３２に図示しない点灯信号が出力されることによりシフトレジスタに一時記憶された「１」の信号に対応する発光色でＬＥＤが点灯する（ステップＳ４）。次に、ＣＰＵ２１は表示停止信号が入力されないことを判定し（ステップＳ５），以下、ステップＳ３〜Ｓ５の処理を繰り返し実行する。
【００３０】
具体的には、表示データメモリ２３に第１次情報の道路情報「名古屋―小牧
事故通行止」と第２次情報の拡大文字「通行止」をＲ，Ｇ，Ｂの各色毎の全画面データとして作成記憶するとともに、第１次情報に対する表示データを常に出力することに対して、第２次情報に対する表示データを予め設定した周期で出力することにより表示面１１において、図５ａ，５ｂに示す連続的に表示される第１次情報（「名古屋−小牧  事故通行止」）に対して点滅する第２次情報（「通行止」）の表示が実行される。
【００３１】
また、第２次情報の「通行止」に関して、表示位置の異なる「通行止」の全画面データを予め表示データメモリ２３に２画面分作成し、第１情報に対して位置の異なる表示データを交互に読み出すことにより、図６に示す「通行止」の文字が背景で左右に揺動する表示を行うことができる。
【００３２】
さらにまた、第２次情報の「事故」に対して表示位置が異なる複数の全画面データを作成して、複数の全画面データを順次読み出すことにより、図７に示すところの「事故」の文字が右から左に移動する表示を行うことができる。
【００３３】
なお、上記においては、第２次情報に文字を用いる場合を説明したが、図８に示すように、第１次情報（「車線規制有り  左に寄れ」と「車線が狭くなる道路図柄」）に対して関連する第２次情報として４つの鏃状の図柄を前記した手法により右から左に移動させて左方向に車線変更を促すように表現することもできる。
【００３４】
また、上記の実施形態においては、理解を容易にするために第２次情報として必要数の全画面データを予め表示データメモリ２３で作成する方法を例示したが、表示データメモリ２３にセットした第２次情報の書き出しのタイミングを可変することにより、上記の揺動や移動などの制御を行うようにしてもよい。
【００３５】
また、上記の実施形態においては、ＲＯＭ２４に予め第１次情報と第２次情報を記憶させる方法を例示したが、ＲＯＭ２４には単語だけを記憶し、表示データ
メモリ２３で第１次情報と第２次情報とをプログラムに従いそれぞれ作成するようにしてもよい。
【００３６】
また、従来技術のように２つの道路情報を表示する場合には、例えば「この先ユキ  スベリ止必要」と「柴波−盛岡  吹雪走行注意」の交互表示に対して、それぞれの表示時間の中で「ユキ」と「ふぶき」の拡大文字を点滅表示しても、前記と同様にドライバーは予備知識を持って判読ができるため判読時間が短くなるといった効果を有する。
【００３７】
さらにまた、第１次情報と第２次情報との発光色（色度，輝度）を変えて表示を行うため、図９に示すように第２次情報を静止した状態として表示を行った場合においても、色や形状に対して関連する要素をまとめて知覚体制化する人間の視覚特性により第１次情報と第２次情報とを区別して判読することが可能である。
【図面の簡単な説明】
【００３８】
【図１】本発明の道路情報表示装置の外観を示す正面図である。
【図２】同上の道路情報表示装置の要部の構成を示すブロック図である。
【図３】図２のＬＥＤ制御部の具体例を示す回路図である。
【図４】動作を説明するためのフローチャートである。
【図５】道路情報表示装置で表示する第１の表示例を示し、（ａ）は第１次情報のみを表示した図で、（ｂ）は第１次情報に第２次情報を組み合わせた図である。
【図６】道路情報表示装置で表示する第２の表示例を示し、（ａ）は第１次情報に第２次情報を組み合わせた図で、（ｂ）は第２次情報のみを表示した図である。
【図７】道路情報表示装置で表示する第３の表示例を示し、（ａ）は第１次情報に第２次情報を組み合わせた図で、（ｂ）は第２次情報のみを表示した図である。
【図８】道路情報表示装置で表示する第４の表示例を示した図である。
【図９】道路情報表示装置で表示する第５の表示例を示した図である。
【符号の説明】
【００３９】
１０        道路情報表示装置
１１        表示面  
２０        制御部
２１        ＣＰＵ
２２        制御プログラムメモリ
２３        表示データメモリ
２４        ＲＯＭ
２４ａ      第１次情報記憶手段
２４ｂ      第２次情報記憶手段
２５        ＬＥＤ制御部
２５ａ      背景表示用データ生成部
２５ｂ      合成表示データ出力部
３０        ＬＥＤ表示部
３１        ＬＥＤ表示ユニット
３２        ＬＥＤ点灯駆動部
【図１】
2008231839.tif 000003
【図２】
2008231839.tif 000004
【図３】
2008231839.tif 000005
【図４】
2008231839.tif 000006
【図５】
2008231839.tif 000007
【図６】
2008231839.tif 000008
【図７】
2008231839.tif 000009
【図８】
2008231839.tif 000010
【図９】
2008231839.tif 000011
【手続補正書】
【提出日】平成19年3月26日(2007.3.26)
【手続補正１】
【補正対象書類名】図面
【補正対象項目名】図８
【補正方法】変更
【補正の内容】
【図８】
2008231839.tif 000012